(57)【要約】本発明による文字入力装置は、基準キーの周囲に複数個の周辺キーが配置されるキーパッドと、前記基準キーと周辺キーを独立的にそれぞれ押して押圧入力を行うと、前記基準キー及び周辺キーに独自に付与された文字の入力として認識し、前記基準キーを押しながら引き続き周辺キーを押して方向入力を行うと、その方向毎に付与された文字の入力として認識する認識装置と、を備えることを特徴とする。本発明によると、方向入力とＵターン入力を通じて、キーパッドのタッチ回数を減らすと共に「ポーズ」機能による入力不便を解消し、文字入力の便宜及び速度を向上させることができる。【選択図】図２
2010500684.tif 000002
【特許請求の範囲】
【請求項１】
基準キーの周囲に複数個の周辺キーが配置されるキーパッドと、
前記基準キーと周辺キーを独立的にそれぞれ押して押圧入力を行うと、前記基準キー及び周辺キーに独自に付与された文字の入力として認識し、前記基準キーを押しながら引き続き周辺キーを押して方向入力を行うと、その方向毎に付与された文字の入力として認識する認識装置と、を備えることを特徴とする文字入力装置。
【請求項２】
前記周辺キーは、前記基準キーの周囲の四方に配置されることを特徴とする請求項１に記載の文字入力装置。
【請求項３】
2010500684.tif 000011
【請求項４】
2010500684.tif 000012
【請求項５】
2010500684.tif 000013
【請求項６】
2010500684.tif 000014
【請求項７】
前記基準キーは、子音キーであることを特徴とする請求項２に記載の文字入力装置。
【請求項８】
前記認識装置は、前記基準キーを連続して２回押圧すると、当該子音の気音として認識し、前記基準キーを連続して３回押圧すると、当該子音の硬音として認識することを特徴とする請求項７に記載の文字入力装置。
【請求項９】
前記認識装置は、前記方向入力をしてから、さらに、前記基準キーを押してＵターン入力を行うと、前記Ｕターン方向毎に付与された文字の入力として認識することを特徴とする請求項１に記載の文字入力装置。
【請求項１０】
前記基準キーが複数個配列され、隣接した前記基準キーがその間にある周辺キーを互いに共有することを特徴とする請求項４に記載の文字入力装置。
【請求項１１】
前記認識装置は、前記方向入力の方向に応じて、相違した４つのアルファベットの入力として認識することを特徴とする請求項２に記載の文字入力装置。
【請求項１２】
基準キーがグループ化して複数個配列され、前記基準キー群の周囲に周辺キーが設置されるキーパッドと、
前記基準キーと周辺キーを独立的にそれぞれ押して押圧入力を行うと、前記基準キー及び周辺キーに独自に付与された文字の入力として認識し、前記基準キーを押しながら引き続き前記基準キーの周囲にある他の基準キーや周辺キーを押して方向入力を行うと、その方向毎に付与された文字の入力として認識する認識装置と、を備えることを特徴とする文字入力装置。
【請求項１３】
2010500684.tif 000015
【請求項１４】
2010500684.tif 000016
【請求項１５】
2010500684.tif 000017
【請求項１６】
2010500684.tif 000018
【請求項１７】
前記基準キーは、子音キーであることを特徴とする請求項１３に記載の文字入力装置。
【請求項１８】
前記認識装置は、前記基準キーを連続して２回押圧すると、当該子音の気音として認識し、前記基準キーを連続して３回押圧すると、当該子音の硬音として認識することを特徴とする請求項１７に記載の文字入力装置。
【請求項１９】
前記認識装置は、前記方向入力をしてから、さらに、前記基準キーを押してＵターン入力を行うと、前記Ｕターン方向毎に付与された文字の入力として認識することを特徴とする請求項１２に記載の文字入力装置。
【請求項２０】
前記基準キー群内では、一つの基準キーの周囲の四方に基準キーが配置され、前記周辺キーは、前記基準キー群の周囲の四方に配置され、前記認識装置は、前記方向入力を行うと、その方向に応じて、相違した４つの文字の入力として認識することを特徴とする請求項１２に記載の文字入力装置。
【発明の詳細な説明】
【技術分野】
【０００１】
本発明は、文字入力装置に関し、特に、方向入力概念を導入して、文字入力の便宜及び速度を向上させることができる文字入力装置に関する。
【背景技術】
【０００２】
従来の文字入力方法は、一つにキーに数個の字母を指定し、キーの押圧回数に応じて指定された文字が入力され、一文字の完成は、入力を暫く中止して待ったり、確認キーを押したりすることで行われている。
2010500684.tif 000003
しかしながら、確認キーは、文字入力用キーパッドと遠く離れているので、入力することが不便であり、「ポーズ」は、文字入力の速度を落としてしまう。例えば、「ａｂｃ」を入力する場合は、「英小メニュー→２→ポーズ→２→２→ポーズ→２→２→２」で文字キーを押さなければならないので、６回のタッチと２回のポーズが必要であり、入力時間が長くかかる。
【発明の概要】
【発明が解決しようとする課題】
【０００３】
本発明は、上記の問題点を解決するためのもので、その目的は、文字入力の際に、タッチ回数を減らし、ポーズ機能の入力不便を解消し、文字入力の便宜及び速度を向上させることができる文字入力装置を提供することにある。
【課題を解決するための手段】
【０００４】
上記の課題を解決するために、本発明の一例による文字入力装置は、基準キーの周囲に複数個の周辺キーが配置されるキーパッドと、前記基準キーと周辺キーを独立的にそれぞれ押して押圧入力を行うと、前記基準キー及び周辺キーに独自に付与された文字の入力として認識し、前記基準キーを押しながら引き続き周辺キーを押して方向入力を行うと、その方向毎に付与された文字の入力として認識する認識装置と、を備えることを特徴とする。
2010500684.tif 000004
前記基準キーは、子音キーであってもよいが、この場合、前記認識装置は、前記基準キーを連続して２回押圧すると、当該子音の気音として認識し、前記基準キーを連続して３回押圧すると、当該子音の硬音として認識することが好ましい。
【０００５】
前記認識装置は、前記方向入力をしてから、さらに、前記基準キーを押してＵターン入力を行うと、前記Ｕターン方向毎に付与された文字の入力として認識することができる。
【０００６】
前記基準キーが複数個配列されていてもよいが、この場合は、隣接した前記基準キーがその間にある周辺キーを互いに共有するようになる。
【０００７】
英文認識の場合は、前記認識装置は、前記方向入力の方向に応じて、相違した４つのアルファベットの入力として認識する。
【０００８】
上記の課題を解決するために、本発明の他の例による文字入力装置は、基準キーがグループ化して複数個配列され、前記基準キー群の周囲に周辺キーが設置されるキーパッドと、前記基準キーと周辺キーを独立的にそれぞれ押して押圧入力を行うと、前記基準キー及び周辺キーに独自に付与された文字の入力として認識し、前記基準キーを押しながら引き続き前記基準キーの周囲にある他の基準キーや周辺キーを押して方向入力を行うと、その方向毎に付与された文字の入力として認識する認識装置と、を備えることを特徴とする。
2010500684.tif 000005
前記基準キー群内では、一つの基準キーの周囲の四方に基準キーが配置され、前記周辺キーは、前記基準キー群の周囲の四方に配置されてもよいが、この場合、前記認識装置は、前記方向入力を行うと、その方向に応じて、相違した４つの文字の入力として認識する。
【発明の効果】
【０００９】
上述した本発明によると、方向入力とＵターン入力を通じて、キーパッドのタッチ回数を減らすと共にポーズ機能による入力不便を解消し、文字入力の便宜及び速度を向上させることができる。
【図面の簡単な説明】
【００１０】
【図１】従来の文字入力方法を説明するための図である。
【図２】本発明の実施例１による文字入力装置を説明するための図である。
【図３】図２の文字入力装置でハングル文字を入力する方法を説明するための図である。
【図４】図２の文字入力装置が引き続き複数個設置される場合を説明するための図である。
【図５】図２の文字入力装置で英文を入力する方法を説明するための図である。
【図６】本発明による文字入力装置でハングル文字、英文、その他の文字を入力する例を示す図である。
【図７】本発明の実施例２による文字入力装置を説明するための図である。
【図８】本発明の実施例３による文字入力装置を説明するための図である。
【図９】本発明の実施例４による文字入力装置を説明するための図である。
【図１０】本発明の実施例５による文字入力装置を説明するための図である。
【発明を実施するための形態】
【００１１】
以下、添付した図面に基づき、本発明の好適な実施例について詳述する。これらの実施例は、本発明の内容を理解するために提示されたものであるだけで、その技術の分野における通常の知識を有する者であれば、本発明の技術的思想の範囲内で様々な変形が可能である。したがって、本発明の権利範囲がこれらの実施例に限定されるものと解釈されてはならない。
【実施例１】
【００１２】
図２は、本発明の実施例１による文字入力装置を説明するための図であり、特に、方向入力を説明するための図である。図２を参照すると、キーパッド１０には、基準キーＡの周囲の四方に４つの周辺キーＢ、Ｃ、Ｄ、Ｅが配置される。認識装置２０は、基準キーＡ及び周辺キーＢ、Ｃ、Ｄ、Ｅを独立的にそれぞれ押して押圧入力５、６、７、８、９を行うと、基準キーＡ及び周辺キーＢ、Ｃ、Ｄ、Ｅに独自に付与された文字の入力として認識し、基準キーＡを押しながら引き続き周辺キーＢ、Ｃ、Ｄ、Ｅを押して方向入力１、２、３、４を行うと、その方向毎に付与された文字の入力として認識する。したがって、認識装置２０は、総９種の入力を認識するようになる。
【００１３】
方向入力２を行う場合、基準キーＡを押し、次に周辺キーＢに押圧を移動させるようになるが、この際、基準キーＡのサイズが指程度しかならないので、実際的には、指による入力がＡ→ＡＢ→Ｂの順に途切れずに行われるようになる。若し、途切れても、短いポーズであるときは、認識装置２０が基準キーＡ→周辺キーＢへの方向入力として認識し、長いポーズであるときは、基準キーＡと周辺キーＢが独立的に押圧入力されたものと認識するように設定すると、認知のエラーを防止することができる。
2010500684.tif 000006
2010500684.tif 000007
図５は、図２の文字入力装置で英文を入力する方法を説明するための図である。図５を参照すると、認識装置２０は、方向入力の方向に応じて、相違した４つのアルファベットの入力として認識し、基準キー（「ａｂｃｄ」キー）の５番押圧入力は、大文字への変換として認識する。いくつかの入力例を図６の表に示した。
【００１４】
図６は、本発明による文字入力装置でハングル文字、英文、その他の文字を入力する例を示す図である。
【実施例２】
【００１５】
図７は、本発明の実施例２による文字入力装置を説明するための図であり、特に、Ｕターン入力を説明するための図である。図７を参照すると、認識装置２０は、方向入力６、７、８、９をしてから、さらに、基準キーＡを押してＵターン入力ａ、ｂ、ｃ、ｄを行うと、前記Ｕターン方向毎に付与された文字の入力として認識する。したがって、認識装置２０は、押圧入力５、６、７、８、９、方向入力１、２、３、４、Ｕターン入力ａ、ｂ、ｃ、ｄを全て含めて、総１３種の入力を認識するようになる。
【００１６】
入力のエラーを無くすために、認識装置２０は、以下のように認識するように設定されることが好ましい。
【００１７】
第一、キーの押圧の際に、隣接キーと重複して押圧されると、最も強く押圧される入力を有効なものと判断する。または、一つのキーにタクトスイッチ、ソフトタッチ入力パッド、またはスクリーンパッド等の適切な手段で、数個の入力感知点を設定し、押圧される面積が最も広いキーを入力キーとして認知するようにする。
【００１８】
第二、方向入力の際に、基準キーＡから周辺キーＢを経て、他の基準キーＦへのタッチが行われても、これは、同方向への方向入力として認識するようにする。
【００１９】
第三、Ｕターン入力の際に、例えば、Ｕターン入力ｂを行う場合、Ａ→Ｂ→Ｆ→Ｂの入力が行われても、これは、Ａ→Ｂ→Ａの入力として認識するようにする。すなわち、必ずしも開始点に戻らなくても、Ｕターンが認識さえされれば、これをＵターン入力として認識するようにする。
【実施例３】
【００２０】
2010500684.tif 000008
【実施例４】
【００２１】
2010500684.tif 000009
【実施例５】
【００２２】
2010500684.tif 000010
【図１】
2010500684.tif 000019
【図２】
2010500684.tif 000020
【図３】
2010500684.tif 000021
【図４】
2010500684.tif 000022
【図５】
2010500684.tif 000023
【図６】
2010500684.tif 000024
【図７】
2010500684.tif 000025
【図８】
2010500684.tif 000026
【図９】
2010500684.tif 000027
【図１０】
2010500684.tif 000028
【国際調査報告】
2010500684.tif 000029
2010500684.tif 000030